(57)【要約】      （修正有）【課題】複数のマット群を敷設した場合でも敷設時のマットの寸法調整が簡単で、容易に部屋の側面も保護することができるマットを提供する。【解決手段】敷設場所の上に敷き詰められるマットであって、該マットの底面から該マットの内部に向かって形成され該マット表面に達しない深さでマット周縁と略平行に設けられた碁盤目状スリットを形成した。              【選択図】図２
0003152416.tif 000002
【実用新案登録請求の範囲】
【請求項１】
敷設場所の上に敷き詰められるマットであって、該マットの底面から該マットの内部に向かって形成され該マット表面に達しない深さのスリットを形成したことを特徴とするマット。              
【請求項２】
スリットはマット周縁と略平行に設けられた複数本かつ直線状であることを特徴とする請求項１に記載のマット。
【請求項３】
スリットはマット周縁と略平行に設けられた碁盤目状であることを特徴とする請求項１又は請求項２に記載のマット。
【請求項４】
該マットは周縁に連結片を複数有し、該スリットの始端と終端は周縁に設けられた連結片突出部間に設定されたことを特徴とする請求項１〜３項のいずれか１項に記載のマット。
【請求項５】
該スリットの深さはベース材の厚みに対して約1/3〜2/3となるように形成されたことを特徴とする請求項１〜4項のいずれか１項に記載のマット。
【請求項６】
スリットは鉛直方向に対して0度から45度傾斜して形成されたことを特徴とする請求項１〜5項のいずれか１項に記載のマット。
【請求項７】
スリットは鉛直方向に対して15度から20度傾斜して形成されたことを特徴とする請求項１〜6項のいずれか１項に記載のマット。
【請求項８】
スリットは弾性を有する層に設けられたことを特徴とする請求項１〜7項のいずれか１項に記載のマット。
【考案の詳細な説明】
【技術分野】
【０００１】
本考案は、屋内や屋外で用いられるマットに関するものであり、特に、マットの周縁に連結構造を有する連結マットの構造に関する。
【背景技術】
【０００２】
従来から家庭やオフィスのフローリングの床、コンクリート又は地面の上に衝撃吸収、騒音防止等のためにマットを敷設して利用している。そのマットは1枚からなる大きなシート状のマットや連結構造を有する複数枚のマット群からなっている。
【０００３】
それらの1枚のマットや複数枚のマット群は敷設する場所に合わせてオーダーメードで作製される場合には、マットの寸法は問題とならないが、敷設する場所に対して既製品のマットを敷き詰める場合にはマットの縦横寸法を敷設場所に合わせなければならない。
【０００４】
既製品のマット群も部屋の間取りを意識し、敷設場所である広さ（例えば6帖や8帖）に整合できるように、マット一枚の基本単位の大きさが組合せ完了時に敷設場所の広さに適合するように、敷設スペースの広さを均等分割した大きさに作製することも考えられるが、部屋の間取りにも京間、本間、中京間、江戸間、関東間、田舎間などといった複数の種類があるため全ての間取りに適合するマットを準備することは難しかった。
【０００５】
【特許文献１】実用新案登録3047013号公報
【考案の開示】
【考案が解決しようとする課題】
【０００６】
そして前述した既製品のマットを用いる場合には、どうしても敷設後にマット1枚に満たない余りのスペースが生じマット周縁に隙間が生じたり、マットが敷設場所からオーバーしてしまう場合が多かった。そのために使用者がわざわざマットを計測しマットに印を付し、カット用の直線を引き、1枚ずつナイフやハサミでマットを適当な大きさに切断したり、端部専用の縁材を新たに用意したりしなければならなかった。そのために利用者が多大な労力とコストを要していた。
【０００７】
本考案は、上記の事情に鑑みてなされたもので、複数のマット群を敷設した場合でも敷設時のマットの寸法調整が簡単で、容易に部屋の側面も保護することができるマットを提供することを目的とする。
【課題を解決するための手段】
【０００８】
前記課題を解決するため請求項1記載の考案にあっては、敷設場所の上に敷き詰められるマットであって、該マットの底面から該マットの内部に向かって形成され該マット表面に達しない深さのスリットを形成した。
【０００９】
請求項2記載の考案にあっては、スリットはマット周縁と略平行に設けられた複数本かつ直線状である。
【００１０】
請求項3記載の考案にあっては、スリットはマット周縁と略平行に設けられた碁盤目状である。
【００１１】
請求項4記載の考案にあっては、該マットは周縁に連結片を複数有し、該スリットの始端と終端は周縁に設けられた連結片突出部間に設定した。
【００１２】
請求項5記載の考案にあっては、該スリットの深さはベース材の厚みに対して約1/3〜2/3となるように形成した。
【００１３】
請求項6記載の考案にあっては、スリットは鉛直方向に対して0度から45度傾斜して形成した。
【００１４】
請求項7記載の考案にあっては、スリットは鉛直方向に対して15度から20度傾斜して形成した。
【００１５】
請求項8記載の考案にあっては、スリットは弾性を有する層に設けられたことを特徴とする。
【考案の効果】
【００１６】
本考案によれば、マット敷設時の寸法調整が容易で、壁の壁面も簡単に保護可能であるマットを提供することができる。
【考案を実施するための最良の形態】
【００１７】
以下、本考案の一実施形態を図に従って説明する。図1は本考案のマットの裏面を示す図であり、図2は図1の一部を省略した部分拡大図を示し、図3は本考案におけるマット断面のイメージ図を示し、図4は本考案におけるマットを説明するための断面イメージ図を示し、図5は本考案のマットの使用状態を示す図である。
【００１８】
（第一の実施形態）
図1乃至図4に示すように、本考案のマット1は矩形で周縁に連結片3を複数有する厚みが10ｍｍ前後のシート状のフロアマットである。本マットの連結片は複数の突出部31とその突出部間に形成された複数の凹部とからなっており、突出部と凹部はそれぞれが嵌合可能となっている。マットは積層又は単層となっており、積層の場合にはマットは表面材10とベース材15を接合した複合構造、単層の場合にはベース材だけの単独構造となっている。そして、それぞれのベース材15には、あらかじめ碁盤目状の複数のスリット2、2‘が形成してある。
【００１９】
マットの裏面には図1、３に示すように、底面からマットの内部に向かってマット表面に達しない深さのスリット2、2‘がそれぞれ縦横等間隔に9本づつ設けられている。また、スリットは図2に示すように左側端部が左側連結片突出部31の根元311の上部に達するように、スリットの右側端部が右側連結片突出部32の根元321の下部に達するように設けられる。つまり、スリットは始端と終端が連結片突出部間に設定されている。
このように碁盤目状のスリットはそれぞれ上下左右の連結部を避けた位置に設けられるため連結部を常に活用できる。そのため、連結した場合でも見栄えが良く強固に結合することができる。
【００２０】
スリットの深さは単層の場合は単層（ベース材）に対して約1/3〜2/3、積層構造の場合には下層のベース材に対して1/3〜2/3程度の深さとなるように設定することができる。なかでも、スリット深さをベース材の約2/3に設定した場合が実用上最適である。図3においてスリット22,23はそれぞれ約1/3と2/3の深さにスリットを設けた例を示している。
【００２１】
スリットの角度は図4に示すように、鉛直方向に設けても構わないし、鉛直方向の基準線に対し10〜45度程度傾いた方向に設けることもできる。スリット21は鉛直方向に、スリット２２０は10〜45度傾いた例を示している。スリットを傾けて形成した方が生産性の点で優れる。
【００２２】
マットの表面材としてはコルク材、天然オーク、エラストマー、繊維などを用いることができる。マット表面材の厚みは1ｍｍ〜10ｍｍ程度で好ましくは3mm程度が適している。
【００２３】
マットのベース材としては発泡体、エラストマーなどの弾性を有する層を用いることができる。発泡体の材質としてはEVA樹脂（エチレン酢酸ビニル共重合体）、ポリウレタン、ポリエチレン、ポリイミド、ポリエステルなどから任意に選択することができる。その中でも耐寒性があり寒い場所などでも硬くなりにくいEVA樹脂が好ましい。
弾性を有する層の硬度は3〜90。好ましくは２０〜60程度がマットの商品特性上好適である。
【００２４】
次に図5を参考に本マットの敷設について説明する。図5では説明のために一方側を省略し、他方側のみを示してある。上記のようなスリットを有するフロアマットを実際にフローリングの設置面5に敷設する場合には、部屋の一方側からフロアマットの敷設を開始し、部屋の他方側までフロアマットを敷き詰める。他方側ではフロアマットの余り部分を生ずる。そこで余りとなる部分に適合した事前に設けられているスリット部分に、カッターナイフやハサミを当てて、それをガイドにしながら切断することができる。フロアマットには元々2/3程度の深さのスリットが周縁に平行となるように設けてあるから、そのスリットをさらに深くするだけで直線状の綺麗な切断を容易に可能とした。
【００２５】
フロアマットをカットしない場合には、前記と同様にマットを敷設し、他方側に達したところで側壁6に沿ってスリットを基準にして直角に折り曲げることで立ち上がり部18とすることが出来る。この場合にも事前にスリットを設けてあるのでスリットに沿って単に折り曲げていくだけで、簡単に折り目25を作製することができる。そして事前に設けたスリットがあるため綺麗に、見栄えの良いフロアマットの敷設が可能となる。
【００２６】
壁や家具にフロアマットの立ち上がり部18を積極的に高く設置しておけば、幼児やペットが壁を汚してしまったり、壁や家具を傷つけてしまったりといったトラブルを予防可能となる。
【００２７】
なお、本実施の形態ではスリットを碁盤目状に設けた例で説明したが、縦方向のみや横方向のみにスリットを形成したり、斜めに設置されたテレビ台などに適合できるように予め斜めにスリットを設けたりすることも可能である。
【図面の簡単な説明】
【００２８】
【図１】は本考案のマットの全体図（裏面）である。
【図２】は図1の一部を省略した部分拡大図である。
【図３】は本考案におけるマット断面のイメージ図である。
【図４】は本考案におけるマットの説明のためのイメージ図である。
【図５】は本考案のマットの使用状態図である。
【符号の説明】
【００２９】
1  マット
10  表面材
15  ベース材
18  立ち上がり部
2、2‘  スリット
22、23  リット
25  折れ目
220  斜めスリット
3  連結部
31  左側連結片
32  右側連結片
5  設置面
6  側壁
【図１】
0003152416.tif 000003
【図２】
0003152416.tif 000004
【図３】
0003152416.tif 000005
【図４】
0003152416.tif 000006
【図５】
0003152416.tif 000007